(57)【要約】【課題】この発明は、同一機種で異なる中間周波数に容易に対応することができるようにし、ユーザに対しての供給をより一層容易化して実用に適するようにした放送受信装置及び放送受信方法を提供することを目的としている。【解決手段】受信された放送信号から、中間周波数設定信号に基づいた周波数を有する中間周波数信号を生成するチューナ手段１８と、チューナ手段１８で生成された中間周波数信号を通過させるフィルタ手段１９と、フィルタ手段１９を通過した中間周波数信号に、中間周波数設定信号に基づいた復調処理を施す復調手段２０と、放送信号を受信する場所に対応した情報が入力されることにより、その入力された場所に対応して予めメモリ２４に記憶されている中間周波数設定信号を読み出し、チューナ手段１８及び復調手段２０に供給する制御手段２３とを備える。【選択図】    図２
2006074718.tif 000002
【特許請求の範囲】
【請求項１】
放送信号を受信する受信手段と、
前記受信手段で受信された放送信号から、中間周波数設定信号に基づいた周波数を有する中間周波数信号を生成するチューナ手段と、
前記チューナ手段で生成された中間周波数信号を通過させるフィルタ手段と、
前記フィルタ手段を通過した中間周波数信号に、前記中間周波数設定信号に基づいた復調処理を施す復調手段と、
前記放送信号を受信する場所に対応した情報が入力されることにより、その入力された場所に対応して予めメモリに記憶されている前記中間周波数設定信号を読み出し、前記チューナ手段及び前記復調手段に供給する制御手段とを具備することを特徴とする放送受信装置。
【請求項２】
前記チューナ手段は、
前記受信手段で受信された放送信号を第１の局部発振信号と混合して、前記放送信号よりも周波数の高い信号に変換する第１の変換部と、
前記第１の変換部から出力された信号を第２の局部発振信号と混合して、前記放送信号よりも周波数の低い中間周波数信号に変換する第２の変換部と、
前記第２の変換部で使用される第２の局部発振信号の周波数を、前記中間周波数設定信号に基づいて可変させる周波数可変部とを具備することを特徴とする請求項１記載の放送受信装置。
【請求項３】
前記復調手段は、
前記フィルタ手段から出力された中間周波数信号をクロック信号と混合して、所定周波数の信号に変換する第３の変換部と、
前記第３の変換部から出力された信号を、前記クロック信号に基づいてデジタル化するアナログデジタル変換部と、
前記アナログデジタル変換部から出力された信号に、前記クロック信号に基づいて復調処理を施す復調部と、
前記クロック信号の周波数を、前記中間周波数設定信号に基づいて可変させるクロック信号周波数可変部とを具備することを特徴とする請求項１記載の放送受信装置。
【請求項４】
前記フィルタ手段は、前記チューナ手段から出力可能な全周波数の中間周波数信号を、所定のＳ／Ｎを満たすように通過させる周波数特性を有するＳＡＷフィルタであることを特徴とする請求項１記載の放送受信装置。
【請求項５】
前記フィルタ手段は、
前記チューナ手段から出力可能な全周波数の中間周波数信号をそれぞれ通過させる複数のフィルタと、
前記複数のフィルタを前記中間周波数設定信号に基づいて選択的に前記チューナ手段と前記復調手段との間に接続させるスイッチとを具備することを特徴とする請求項１記載の放送受信装置。
【請求項６】
前記制御手段は、
複数の地域名または国名を一覧表示してなる中間周波数設定画面を表示させる表示制御部と、
前記表示制御部に基づいて表示された中間周波数設定画面上で、所定の地域名または国名を選択し決定する操作を行なわせるための操作部と、
前記操作部によって選択し決定された所定の地域名または国名に対応する中間周波数設定信号を発生する発生部とを具備することを特徴とする請求項１記載の放送受信装置。
【請求項７】
前記制御手段は、チャンネルスキャンが要求されたときに、前記放送信号を受信する場所に対応した情報を入力可能となることを特徴とする請求項１記載の放送受信装置。
【請求項８】
前記中間周波数設定信号は、３８．０ＭＨｚ及び３８．９ＭＨｚのいずれかの中間周波数信号に対応していることを特徴とする請求項１記載の放送受信装置。
【請求項９】
前記チューナ手段と前記フィルタ手段との間に、前記チューナ手段で生成された中間周波数信号周波数の単同調回路を介挿接続したことを特徴とする請求項１記載の放送受信装置。
【請求項１０】
前記フィルタ手段と前記復調手段との間に、受信チャンネルの上側隣々接チャンネルに当たるトラップフィルタを介挿接続したことを特徴とする請求項１記載の放送受信装置。
【請求項１１】
前記チューナ手段と前記フィルタ手段との間、及び、前記フィルタ手段と前記復調手段との間の少なくとも一方に、受信チャンネルの上側隣々接チャンネルに当たるノッチフィルタを介挿接続したことを特徴とする請求項１記載の放送受信装置。
【請求項１２】
放送信号を受信する受信手段と、
前記受信手段で受信された放送信号から、外部より供給される中間周波数設定信号に基づいた周波数を有する中間周波数信号を生成するチューナ手段と、
前記チューナ手段で生成された中間周波数信号を通過させるフィルタ手段と、
前記フィルタ手段を通過した中間周波数信号に、外部より供給される前記中間周波数設定信号に基づいた復調処理を施す復調手段とを具備することを特徴とするチューナモジュール。
【請求項１３】
放送信号を受信する第１の工程と、
受信された放送信号から、中間周波数設定信号に基づいた周波数を有する中間周波数信号を生成する第２の工程と、
生成された中間周波数信号をフィルタに通過させる第３の工程と、
前記フィルタを通過した中間周波数信号に、前記中間周波数設定信号に基づいた復調処理を施す第４の工程と、
前記放送信号を受信する場所に対応した情報が入力されることにより、その入力された場所に対応して予めメモリに記憶されている前記中間周波数設定信号を読み出し、前記第２及び第４の工程での処理に供させる第５の工程とを具備することを特徴とする放送受信方法。
【請求項１４】
前記第５の工程は、
チャンネルスキャンが要求されたときに、複数の地域名または国名を一覧表示してなる中間周波数設定画面を表示させる工程と、
表示された中間周波数設定画面上で、所定の地域名または国名を選択し決定する操作を行なう工程と、
選択し決定された所定の地域名または国名に対応する中間周波数設定信号を発生する工程とを具備することを特徴とする請求項１３記載の放送受信方法。
【発明の詳細な説明】
【技術分野】
【０００１】
この発明は、例えばアナログテレビジョン放送等を受信する放送受信装置及び放送受信方法に係り、特にその使用する国や地域を選ぶことなくワールドワイドに対応し得るようにしたものに関する。
【背景技術】
【０００２】
周知のように、アナログテレビジョン放送におけるチューナの中間周波数は、法規制により国や地域によって異なっている。例えば、ヨーロッパ、アメリカ、日本では３８．９ＭＨｚであり、中国、アジアでは３８．０ＭＨｚとなっている。
【０００３】
このため、現状では、異なる中間周波数にそれぞれ対応した機種のチューナを用意し、販売する地域、つまり、仕向け地毎に対応する機種を供給する方法や、購入者の使用する地域に対応した機種を販売する方法がとられている。
【０００４】
しかしながら、このような方法では、ユーザに対するチューナの供給が煩雑になるとともに、ユーザは、購入したチューナを、その中間周波数が対応しない地域に持って行って使用することができないという問題も生じる。
【０００５】
特許文献１には、中間周波数テレビジョン信号をミキサにより低い周波数に変換する周波数変換器が開示され、特許文献２には、中間周波数ビデオ信号をデジタルフィルタリングする回路が開示されている。
【０００６】
しかしながら、これらの特許文献１及び２には、いずれも、国や地域毎にチューナの中間周波数が異なっていることに対処し、ユーザに対してチューナを供給し易くすることについては、何らの記載もなされていないものである。
【特許文献１】特開２０００−４０９７７号公報
【特許文献２】特開平９−２０５５９３号公報
【発明の開示】
【発明が解決しようとする課題】
【０００７】
そこで、この発明は上記事情を考慮してなされたもので、同一機種で異なる中間周波数に容易に対応することができるようにし、ユーザに対しての供給をより一層容易化して実用に適するようにした放送受信装置及び放送受信方法を提供することを目的とする。
【課題を解決するための手段】
【０００８】
この発明に係る放送受信装置は、放送信号を受信する受信手段と、受信手段で受信された放送信号から、中間周波数設定信号に基づいた周波数を有する中間周波数信号を生成するチューナ手段と、チューナ手段で生成された中間周波数信号を通過させるフィルタ手段と、フィルタ手段を通過した中間周波数信号に、中間周波数設定信号に基づいた復調処理を施す復調手段と、放送信号を受信する場所に対応した情報が入力されることにより、その入力された場所に対応して予めメモリに記憶されている中間周波数設定信号を読み出し、チューナ手段及び復調手段に供給する制御手段とを備えるようにしたものである。
【０００９】
また、この発明に係る放送受信方法は、放送信号を受信する第１の工程と、受信された放送信号から、中間周波数設定信号に基づいた周波数を有する中間周波数信号を生成する第２の工程と、生成された中間周波数信号をフィルタに通過させる第３の工程と、フィルタを通過した中間周波数信号に、中間周波数設定信号に基づいた復調処理を施す第４の工程と、放送信号を受信する場所に対応した情報が入力されることにより、その入力された場所に対応して予めメモリに記憶されている中間周波数設定信号を読み出し、第２及び第４の工程での処理に供させる第５の工程とを備えるようにしたものである。
【発明の効果】
【００１０】
上記した発明によれば、同一機種で、中間周波数設定信号に基づいて複数種類の周波数の中間周波数信号に対応することができるので、ユーザに対して放送受信装置をより一層容易に供給することができるようになり、実用に適するものとなる。
【発明を実施するための最良の形態】
【００１１】
以下、この発明の実施の形態について図面を参照して詳細に説明する。図１は、この実施の形態で説明する放送受信装置１１の外観を示している。この放送受信装置１１は、携帯可能な薄型箱状の筐体１２を有している。
【００１２】
そして、この放送受信装置１１の筐体１２には、その一方の平面部１２ａに表示部１３と操作部１４とが設置され、一側面１２ｂにヘッドホン等を接続するための音声出力用のコネクタ１５が設置されている。
【００１３】
図２は、上記放送受信装置１１の信号処理系を示している。すなわち、筐体１２に内蔵されたアンテナ１６によって受信されたテレビジョン放送信号は、チューナモジュール１７に供給される。
【００１４】
このチューナモジュール１７は、チューナ部１８、ＢＰＦ（Band Pass Filter）１９及び復調部２０を有する。そして、チューナ部１８は、入力されたテレビジョン放送信号を所定の中間周波数を有するＩＦ（Intermediate Frequency）信号に変換し、ＢＰＦ１９に出力している。
【００１５】
このＢＰＦ１９は、入力されたＩＦ信号からある程度のＳ／Ｎ（Signal to Noise ratio）を満たす変調波成分を通過させ、復調部２０に出力している。そして、この復調部２０では、入力されたＩＦ信号からベースバンドの映像信号と復調前の音声信号とを生成している。
【００１６】
このようにしてチューナモジュール１７から出力された映像信号及び音声信号は、信号処理部２１に供給される。この信号処理部２１では、入力された映像信号に対して前記表示部１３での表示に適した形態に変換する処理を施した後、表示部１３に出力して表示に供させている。
【００１７】
また、上記信号処理部２１では、入力された音声信号に対して復調処理を施した後、前記コネクタ１５を介して外部接続されたヘッドホン２２に出力して音声再生に供させている。
【００１８】
ここで、この放送受信装置１１は、上記した受信動作を含むその全ての動作を制御部２３によって統括的に制御されている。この制御部２３は、ＣＰＵ（Central Processing Unit）等を内蔵しており、前記操作部１４からの操作情報を受け、その操作内容が反映されるように各部をそれぞれ制御している。
【００１９】
この場合、制御部２３は、メモリ部２４を利用している。すなわち、このメモリ部２４は、主として、制御部２３のＣＰＵが実行する制御プログラムを格納した読み出し専用メモリと、該ＣＰＵに作業エリアを提供する読み出し書き込みメモリと、後述する中間周波数設定信号を含む各種の設定情報及び制御情報等が格納される不揮発性メモリとを含んでいる。
【００２０】
ここにおいて、上記チューナ部１８としては、例えばシリコンチューナ（Si Tuner）が使用される。そして、このチューナ部１８では、制御部２３から、例えばＩＩＣ等のコントロールバスを介して供給される中間周波数設定信号に基づいて、ＩＦ信号の中間周波数を３８．９ＭＨｚと３８．０ＭＨｚとに選択的に設定することができる。
【００２１】
また、上記ＢＰＦ１９としては、例えばデジタル復調用のＳＡＷ（Surface Acoustic Wave：弾性表面波）フィルタが使用される。そして、このＢＰＦ１９は、図３に示すように、３８．９ＭＨｚと３８．０ＭＨｚとの２種類の中間周波数のＩＦ信号を通過させることが可能である。
【００２２】
さらに、このＢＰＦ１９は、いずれの中間周波数のＩＦ信号に対しても、後段の復調部２０にある程度のＳ／Ｎを満たす変調波成分を供給することができるように、その周波数特性がナイキストスロープ特性を持たないように設定されている。
【００２３】
また、上記復調部２０は、制御部２３から、例えばＩＩＣ等のコントロールバスを介して供給される中間周波数設定信号に基づいて、チューナ部１８で設定された中間周波数のＩＦ信号に対応した復調処理を行なえるように、内部クロックが制御される。
【００２４】
上記したチューナモジュール１７によれば、制御部２３から出力される中間周波数設定信号に基づいて、３８．０ＭＨｚと３８．９ＭＨｚとの２種類の中間周波数のＩＦ信号に対応することができるので、ユーザに対して放送受信装置１１をより一層容易に供給することができるようになり、実用に適するものとなる。
【００２５】
図４は、上記チューナ部１８の詳細を示している。すなわち、前記アンテナ１６で受信されたテレビジョン放送信号は、入力端子１８ａ及び利得可変増幅器１８ｂを介して、周波数混合器１８ｃに供給される。
【００２６】
この周波数混合器１８ｃは、入力された５０ＭＨｚ〜８７０ＭＨｚのテレビジョン放送信号を、局部発振器１８ｄから出力される局部発振信号と混合することにより、１．２ＧＨｚに周波数シフトする。
【００２７】
そして、この周波数混合器１８ｃから出力された高周波信号は、ＳＡＷ ＢＰＦ１８ｅを介して周波数混合器１８ｆに供給される。この周波数混合器１８ｆは、入力された高周波信号を、局部発振器１８ｇから出力される局部発振信号と混合することにより、３８．９ＭＨｚまたは３８．０ＭＨｚのＩＦ信号に変換する。
【００２８】
その後、周波数混合器１８ｆから出力されたＩＦ信号は、増幅器１８ｈ、ＳＡＷ ＢＰＦ１８ｉ及び増幅器１８ｊを介して出力端子１８ｋから取り出され、前記ＢＰＦ１９に出力される。
【００２９】
ここで、上記局部発振器１８ｄ，１８ｇは、それぞれ、ＰＬＬ（Phase Locked Loop）回路１８ｌ，１８ｍによって、発振周波数が制御されている。また、これらＰＬＬ回路１８ｌ，１８ｍには、基準発振器１８ｎの出力が基準信号として供給されている。
【００３０】
そして、上記ＰＬＬ回路１８ｍには、前記制御部２３から出力される中間周波数設定信号が、制御端子１８ｏを介して供給される。このＰＬＬ回路１８ｍは、制御部２３から供給された中間周波数設定信号に基づいて分周比が変更され、それに基づいて局部発振器１８ｇから出力される局部発振信号の周波数が変更される。これにより、周波数混合器１８ｆから、３８．９ＭＨｚ及び３８．０ＭＨｚのＩＦ信号を選択的に発生させることができる。
【００３１】
なお、前記利得可変増幅器１８ｂには、復調部２０から出力される利得調整信号が、制御端子１８ｐを介して供給される。この利得可変増幅器１８ｂは、復調部２０から出力された利得調整信号に基づいて利得が可変され、ここに、チューナモジュール１７の自動利得調整が行なわれる。
【００３２】
図５は、上記復調部２０の詳細を示している。すなわち、前記ＢＰＦ１９から出力された３８．９ＭＨｚまたは３８．０ＭＨｚのＩＦ信号は、入力端子２０ａ及び増幅器２０ｂを介して周波数混合器２０ｃに供給される。
【００３３】
この周波数混合器２０ｃは、入力されたＩＦ信号を、クロック生成部２０ｄから出力されるクロック信号と混合することにより、後段のＤＳＰ（Digital Signal Processor）２０ｇで動作可能な周波数に変換する。
【００３４】
そして、上記周波数混合器２０ｃから出力されたＩＦ信号は、ＢＰＦ２０ｅを通過した後、クロック生成部２０ｄから出力されるクロック信号に基づいて駆動されるＡ／Ｄ（Analog／Digital）変換部２０ｆによりデジタル化されてＤＳＰ２０ｇに供給される。
【００３５】
このＤＳＰ２０ｇは、クロック生成部２０ｄから出力されるクロック信号に基づいて、入力されたＩＦ信号から、利得可変増幅器１８ｂに与えるための利得調整信号、ベースバンドの映像信号及び復調前の音声信号を生成する。
【００３６】
そして、上記利得制御信号は、Ｄ／Ａ（Digital／Analog）変換部２０ｈによりアナログ化された後、出力端子２０ｉ、チューナ部１８の制御端子１８ｐを介して利得可変増幅器１８ｂに供給される。
【００３７】
また、上記映像信号は、Ｄ／Ａ変換部２０ｊによりアナログ化された後、出力端子２０ｋを介して前記信号処理部２１に供給される。さらに、上記音声信号は、Ｄ／Ａ変換部２０ｌによりアナログ化された後、出力端子２０ｍを介して前記信号処理部２１に供給される。
【００３８】
ここで、上記クロック生成部２０ｄは、基準発振器２０ｎから出力される基準発振信号に基づいて、クロック信号を生成している。そして、このクロック生成部２０ｄには、前記制御部２３から出力される中間周波数設定信号が、制御端子２０ｏを介して供給されている。
【００３９】
このクロック生成部２０ｄは、制御部２３から供給された中間周波数設定信号に基づいて、Ａ／Ｄ変換部２０ｆ及びＤＳＰ２０ｇが、チューナ部１８で設定された中間周波数のＩＦ信号に対してＡ／Ｄ変換処理や復調処理を行なえるように、クロック信号の周波数を制御している。
【００４０】
ここにおいて、中間周波数を３８．９ＭＨｚ及び３８．０ＭＨｚのいずれに設定するかは、受信周波数帯域を連続的に順次走査して受信可能なチャンネルを自動検索する、いわゆるチャンネルスキャンが要求されたときに、ユーザによって設定可能となる。
【００４１】
図６は、このような中間周波数の設定動作をまとめたフローチャートを示している。まず、処理が開始（ステップＳ１）されると、制御部２３は、ステップＳ２で、チャンネルスキャンが要求されたか否かを判別し、要求されていないと判断された場合（ＮＯ）、処理を終了（ステップＳ７）する。
【００４２】
また、ステップＳ２でチャンネルスキャンが要求されたと判断された場合（ＹＥＳ）、制御部２３は、ステップＳ３で、前記表示部１３に中間周波数設定画面を表示させる。この中間周波数設定画面は、図７に示すように、各地域名や各国名が一覧表示されたものである。
【００４３】
そして、ユーザは、この一覧表示された地域名や国名の中から、放送受信装置１１を使用する場所、つまり、放送受信装置１１を現在設置している場所に対応する地域や国を選定する。この選定は、操作部１４を操作することにより、画面上でカーソルｋを移動させて選択し、決定キーを操作することで行なわれる。
【００４４】
その後、制御部２３は、ステップＳ４で、中間周波数設定画面から地域や国がユーザによって選定されるのを待ち、選定されたと判断された場合（ＹＥＳ）、ステップＳ５で、選定された地域や国の中間周波数に対応した中間周波数設定信号をメモリ部２４から読み出し、チューナ部１８及び復調部２０に出力する。
【００４５】
これにより、チューナモジュール１７は、それが取り扱う中間周波数が決定されることになる。このようにして中間周波数が決定されると、制御部２３は、ステップＳ６で、チャンネルスキャンを実行し、処理を終了（ステップＳ７）する。
【００４６】
上記した実施の形態によれば、制御部２３から出力される中間周波数設定信号に基づいて、チューナモジュール１７が３８．９ＭＨｚと３８．０ＭＨｚとの２種類の中間周波数のＩＦ信号に対応することができるので、ユーザに対して放送受信装置１１を容易に供給することができるようになり、実用に適するものとなる。
【００４７】
図８は、上記した実施の形態の第１の変形例を示している。図８において、図２と同一部分に同一符号を付して説明すると、チューナモジュール１７において、３８．９ＭＨｚ用のＢＰＦ１９ａと３８．０ＭＨｚ用のＢＰＦ１９ｂとを用意する。そして、中間周波数設定信号に基づいて切り替えられるスイッチ２５ａ，２５ｂを用いて、必要なＢＰＦ１９ａまたは１９ｂを使用するようにしている。このような構成としても、図２に示した放送受信装置１１と同様の動作を行ない、同様の効果を得ることができる。
【００４８】
図９は、上記した実施の形態の第２の変形例を示している。図９において、図２と同一部分に同一符号を付して説明すると、チューナモジュール１７において、チューナ部１８とＢＰＦ１９との間に、チューナ部１８から出力されるＩＦ信号周波数の単同調回路２６を介挿接続している。
【００４９】
すなわち、チューナ部１８に多波信号が入力された場合、ＳＡＷ ＢＰＦ１８ｅの帯域が２０ＭＨｚ程度あるため、受信チャンネルに対して隣接、隣々接チャンネルの搬送波レベルは、減衰しないままチューナ部１８から出力され、ＢＰＦ１９を介して復調部２０に入力されることになる。
【００５０】
そして、チューナ部１８から出力されるＩＦ信号の帯域特性は、後段の復調部２０におけるＡ／Ｄ変換部２０ｆの前段で決められるが、その前のＢＰＦ１９では、隣接チャンネルのキャリアの減衰はあまり得られていない。隣接、隣々接チャンネルの信号にレベル差があると、受信信号のレベルが妨害波に対して低い場合、混信妨害が発生する。
【００５１】
これに対し、チューナ部１８とＢＰＦ１９との間にＩＦ信号周波数の単同調回路２６を介挿接続することにより、隣接、隣々接チャンネルの信号レベルを抑圧することができ、混信に対する性能を改善することが可能となる。
【００５２】
図１０は、上記した実施の形態の第３の変形例を示している。図１０において、図２と同一部分に同一符号を付して説明すると、チューナモジュール１７において、ＢＰＦ１９と復調部２０の間に、受信チャンネルの上側隣々接チャンネルに当たるトラップフィルタ２７を介挿接続している。
【００５３】
すなわち、上記したように、チューナ部１８に多波信号が入力された場合、ＳＡＷ ＢＰＦ１８ｅの帯域が２０ＭＨｚ程度あるため、受信チャンネルに対して隣接、隣々接チャンネルのレベルは、減衰しないままチューナ部１８から出力され、ＢＰＦ１９を介して復調部２０に入力されることになる。
【００５４】
そして、チューナ部１８から出力されるＩＦ信号の帯域特性は、後段の復調部２０におけるＡ／Ｄ変換部２０ｆの前段で決められるが、その前のＢＰＦ１９では、隣接チャンネルのキャリアの減衰はあまり得られていない。このような条件下で、復調部２０では、入力されるＩＦ信号をＡ／Ｄ変換すると、そのサンプリング歪により受信チャンネルの上側隣々接チャンネル付近の混信性能が悪化する。
【００５５】
これに対し、ＢＰＦ１９と復調部２０との間にトラップフィルタ２７を介挿接続することにより、隣々接チャンネルの信号成分を抑圧することができ、混信に対する性能を改善することが可能となる。
【００５６】
図１１は、上記した実施の形態の第４の変形例を示している。図１１において、図２と同一部分に同一符号を付して説明すると、チューナモジュール１７において、チューナ部１８とＢＰＦ１９との間に、受信チャンネルの上側隣々接チャンネルに当たるノッチフィルタ２８を介挿接続している。このような構成によっても、第３の変形例と同様に、受信チャンネルの上側隣々接チャンネルの信号成分を抑圧することができ、混信に対する性能を改善することが可能となる。
【００５７】
図１２は、上記した実施の形態の第５の変形例を示している。図１２において、図２と同一部分に同一符号を付して説明すると、チューナモジュール１７において、ＢＰＦ１９と復調部２０との間に、受信チャンネルの上側隣々接チャンネルに当たるノッチフィルタ２９を介挿接続している。このような構成によっても、第３の変形例と同様に、受信チャンネルの上側隣々接チャンネルの信号成分を抑圧することができ、混信に対する性能を改善することが可能となる。
【００５８】
図１３は、上記した実施の形態の第６の変形例を示している。図１３において、図２と同一部分に同一符号を付して説明すると、チューナモジュール１７において、チューナ部１８とＢＰＦ１９との間、及び、ＢＰＦ１９と復調部２０との間に、それぞれ、受信チャンネルの上側隣々接チャンネルに当たるノッチフィルタ２８，２９を介挿接続している。このような構成によっても、第３の変形例と同様に、受信チャンネルの上側隣々接チャンネルの信号成分を抑圧することができ、混信に対する性能を改善することが可能となる。
【００５９】
また、上記したチューナモジュール１７は、図１４に示すＰＣ（Personal Computer）３０や、図１５に示す携帯電話３１等、幅広い分野に適用することが可能である。
【００６０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００６１】
【図１】この発明の実施の形態を示すもので、放送受信装置の外観を説明するために示す斜視図。
【図２】同実施の形態における放送受信装置の信号処理系を説明するために示すブロック構成図。
【図３】同実施の形態における放送受信装置のＢＰＦの周波数特性を説明するために示す特性図。
【図４】同実施の形態における放送受信装置のチューナ部の詳細を説明するために示すブロック構成図。
【図５】同実施の形態における放送受信装置の復調部の詳細を説明するために示すブロック構成図。
【図６】同実施の形態における放送受信装置の中間周波数設定動作を説明するために示すフローチャート。
【図７】同実施の形態における中間周波数設定動作で使用される中間周波数設定画面の一例を説明するために示す図。
【図８】同実施の形態における放送受信装置の第１の変形例を説明するために示すブロック構成図。
【図９】同実施の形態における放送受信装置の第２の変形例を説明するために示すブロック構成図。
【図１０】同実施の形態における放送受信装置の第３の変形例を説明するために示すブロック構成図。
【図１１】同実施の形態における放送受信装置の第４の変形例を説明するために示すブロック構成図。
【図１２】同実施の形態における放送受信装置の第５の変形例を説明するために示すブロック構成図。
【図１３】同実施の形態における放送受信装置の第６の変形例を説明するために示すブロック構成図。
【図１４】同実施の形態におけるチューナモジュールが適用されるＰＣを説明するために示す図。
【図１５】同実施の形態におけるチューナモジュールが適用される携帯電話を説明するために示す図。
【符号の説明】
【００６２】
１１…放送受信装置、１２…筐体、１３…表示部、１４…操作部、１５…コネクタ、１６…アンテナ、１７…チューナモジュール、１８…チューナ部、１９…ＢＰＦ、２０…復調部、２１…信号処理部、２２…ヘッドホン、２３…制御部、２４…メモリ部、２５ａ，２５ｂ…スイッチ、２６…単同調回路、２７…トラップフィルタ、２８，２９…ノッチフィルタ、３０…ＰＣ、３１…携帯電話。
【図１】
2006074718.tif 000003
【図２】
2006074718.tif 000004
【図３】
2006074718.tif 000005
【図４】
2006074718.tif 000006
【図５】
2006074718.tif 000007
【図６】
2006074718.tif 000008
【図７】
2006074718.tif 000009
【図８】
2006074718.tif 000010
【図９】
2006074718.tif 000011
【図１０】
2006074718.tif 000012
【図１１】
2006074718.tif 000013
【図１２】
2006074718.tif 000014
【図１３】
2006074718.tif 000015
【図１４】
2006074718.tif 000016
【図１５】
2006074718.tif 000017